(57)【要約】【課題】  逆洗時におけるろ過装置内の殺菌浄化方法とその装置を提供する。【解決手段】  浴槽からの浴用水を循環ポンプ、ろ過装置、紫外線照射装置の順序で経由させた後、該浴槽へ戻す浴用水の循環システムにあって、該ろ過装置の逆洗時においては、該浴槽からの浴用水を、該循環ポンプを経由させた後、逆洗専用フィルターを経由させて、次に、該紫外線照射装置を経由させてから、該ろ過装置の下部出入口へ流入させる。【選択図】  図１
2005111215.tif 000002
【特許請求の範囲】
【請求項１】
浴槽からの浴用水を、循環ポンプ、ろ過装置、紫外線照射装置の順序で経由させた後、該浴槽へ戻す浴用水の循環システムにあって、該ろ過装置の逆洗時においては、該浴槽からの浴用水を、該循環ポンプを経由させた後、逆洗専用フィルターを経由させて、次に、該紫外線照射装置を経由させてから、該ろ過装置の下部出入口へ流入させることを特徴とするろ過装置内の逆洗時の殺菌浄化方法とその装置。
【発明の詳細な説明】
【技術分野】
【０００１】  本発明は、浴用水の循環システムにおいて、その経路中に取り付けられた紫外線照射装置で、殺菌されオゾン水となった直後の浴用水を、ろ過装置の逆洗時の逆洗水として用いるろ過装置内の逆洗時の殺菌浄化方法と、その装置に関するものである。
【背景技術】
【０００２】  浴用水を、循環ポンプにより循環させ、ろ過装置等で、浄化処理をさせるシステムが、一般的なものとなってきているが、このろ過装置が浴室外に設置されるタイプのものは、その大多数が、現在、砂ろ過方式のろ過装置である。そして、この砂ろ過方式のろ過装置は、逆洗が不可欠である。逆洗する時間中、浴用水の循環が停止される。逆洗時間は、だいたい５分〜７分間ぐらいである。この逆洗水として、通常、循環させている浴用水を、そのまま用いている。【０００３】  砂ろ過方式のろ過装置の設置先は、スーパー銭湯を含む各種公衆浴場、旅館、ホテル、クアハウス、健康ランド、プール等、多方面の施設に及んでいるが、これら施設の大部分は、循環システムを、少くとも、一日の一定時間、運転を停止している。一日に少くとも一回は必要とされる逆洗時はもちろんだが、浴槽等の清掃時間中のほか、夜間など、営業していない時間帯は、循環システ厶は、運転されていないのである。この間、ろ過装置内の流れは全くなくなり、静止した状態になってしまっている現状がある。
【発明の開示】
【発明が解決しようとする課題】
【０００４】  浴用水中には、多少の細菌類が、常に存在している。人体に無害な数であっても、タネ菌となって増殖となり得る場合が少くない。そんな浴用水で、ろ過装置内を逆洗しても、汚れは大部分洗い出されているが、逆洗終了後にも、浴用水はろ過装置内に充満したままの状態になっている。この状態で、浴用水の循環システムが停止したままでいると、ろ過装置内に存在する大腸菌類等の細菌が、その停止時間に応じて、大増殖していく。最近、社会問題化しているレジオネラ属菌の増殖するいちばんの温床となっているのも、このろ過装置内である。その後、浴水の循環運転が開始されると、ろ過装置内で増殖した細菌類は、浴槽中に至るまでに、殺菌除去されなければ、浴槽中に、送りこまれていってしまう。【０００５】  通常、浴用水には、一定量の塩素投与が義務づけられており、浴槽中の浴用水は、安全であるが、ろ過装置内のような密封されたところで、浴用水が長時間停止していると、塩素の効力が減り、前段のような、細菌増殖を生じさせるおそれが、多分にあるのである。
また、アルカリ度の高い温泉においては、塩素の効力は、著しく低下するのでなおさらである。【０００６】  ろ過装置内で増殖した細菌類を、浴槽中に送りこまれる手前で、紫外線殺菌で殺菌除去する装置があり、それが浴用水の安全性を維持する上で貢献しているが尚一層の安全を確保するためには、ろ過装置内の細菌類の増殖を生じさせない絶対防止策が必要であり、看過できない責務である。【０００７】  本発明は、これらの問題点を解消するためになされたものであり、ここに、効率が良く、低コストでできる、ろ過装置内の逆洗時の殺菌浄化方法とその装置を提供するものである。
【課題を解決するための手段】
【０００８】  本発明は、浴槽からの浴用水を、循環ポンプ、ろ過装置、紫外線照射装置の順序で経由させた後、該浴槽へ戻す浴用水の循環システムにあって、該ろ過装置の逆洗時においては、該浴槽からの浴用水を、該循環ポンプを経由させた後、逆洗専用フィルターを経由させて、次に、該紫外線照射装置を経由させてから、該ろ過装置の下部出入口へ流入させることを特徴とする。【０００９】  紫外線照射装置を、循環システムの経路に、既に取り付け設置されてる場合は、ろ過装置と紫外線照射装置との間を結ぶ、逆洗のための経路の配管を、新に行う。逆洗専用フィルターや、浴用水の切り換えのためのバルブや弁類も、新に取り付ける。【００１０】  既設の循環システムに、紫外線照射装置の未設置の場合は、所定の位置に、それを新設し、その他については、前段に記したように取り行う。
【発明の効果】
【００１１】  逆洗水となる浴用水が、ろ過装置へ入る直前に、紫外線照射装置に入り、無菌状態にされ、且つ、新オゾン水となり、ただちに、ろ過装置内へ流入されていくので、非常に効率のよい殺菌浄化が、ろ過装置内でなされ、大腸菌類やレジオレラ属菌などの増殖は、完全に防止される。【００１２】  既存の循環システムに、組み込み対応することが容易で、低コストにして、より高い浴用水の安全性が確保される。
【発明を実施するための最良の形態】
【００１３】  ろ過装置内へ送りこむ逆洗水となる浴用水を、その装置外にある、これまで、逆洗時には、処理作用を停止したままだった紫外線照射装置を活用して、ろ過装置へ送りこむ直前に、殺菌処理し、且つ、新なるオゾン生成水として、ろ過装置内へ直行させたことで、効率のよい、コストのあまりかからないろ過装置内の逆洗時の殺菌浄化方法とその装置が実現した。
【実施例】
【００１４】  以下、本発明の実施の形態について説明する。
図１は、本発明の実施例を示す逆洗時の説明図である。
図２は、本発明の循環経路を示す、通常運転時の説明図である。【００１５】  循環する活用水は、通常、図２に示す矢印のように流れ、循環している。
浴槽１からの浴用水は、ヘヤーキャッチャー２から、循環ポンプ３を経由してろ過装置４の上部出入口４１へ流入し、ろ過過程を経て、集水ノズル４３より、下部出入口４２に流出する。そこから紫外線照射装置５の流入口５１へ流入し、紫外線照射装置に内設されている紫外線ランプ５３、５４からの照射により、殺菌されていく。この状態のとき、紫外線ランプ５３、５４は、浴用水中に浸漬されている。
紫外線ランプは、紫外線照射装置の容量等により、２本に止まらない。【００１６】  浴用水が、紫外線照射装置５内で、殺菌されるとき、オゾンが生成され、その浴用水は、新なオゾン水となる。紫外線ランプ５３、５４の照射波長が、オゾン生成のできる波長域の波長としてあるからである。【００１７】  浴用水は、紫外線照射装置５内で、生成されたてのオゾンを含む、無菌状態で紫外線照射装置５の流出口５２から流出し、熱交換機６を経由して、浴槽１へ戻って行く。熱交換機６は、浴用水温の上昇用であって、冷鉱泉や低温の温泉の源泉水を、そのまま用いるところでは、必ずしも、必要としない。
以上が、浴用水の、浴用に供する循環システムの流れである。【００１８】  ろ過装置４の逆洗時には、図１に示す矢印のように流れる。
浴槽１からの浴用水は、ヘヤーキャッチャー２からポンプ３を経由するところまでは、循環時と同経路を流れるが、ポンプ３より送出された先にある、三方弁８０の切り換えで、逆洗専用フィルター７を経由して、紫外線照射装置５の中へ流入口５１から流入する。逆洗専用フィルター７は、逆洗時のみ、用に供されるものであり、交換、清掃は簡易にできるもので、糸巻きフィルターの類のものが適当である。【００１９】  紫外線照射装置５の中で、新生成のオゾン水となった浴用水は、無菌状態で、流出口５２より流出し、三方弁８１の切り換えで、ろ過装置４の下部出入口４２より、循環時の流れとは逆行して、ろ過装置４内へ流出し、集水ノズル４３より、逆洗水として放出されるのである。この時の逆洗水に含まれている生成されたてのオゾンにより、ろ過装置４内を逆洗しながら、殺菌浄化していく。そして、逆洗水となった浴用水は、ろ過装置４の上部出入口４１より流出し、三方弁８２の切り換えで、排水として廃棄される。【００２０】  本発明は、このように、浴用水を、そのままろ過装置に逆洗水として送りこむのではなく、循環経路中に設置する紫外線照射装置を経由させる方法を取り入れることで、これまで配慮されることのなかった、逆洗時がおけるろ過装置内の殺菌浄化が実現したものである。【００２１】  図中において、バルブ９０は循環時は閉、逆洗時は開、バルブ９１は循環時は開、逆洗時は閉となる。バルブ９２、９３は循環時、逆洗時とも開である。
排水管１０１は、逆洗水の廃棄用である。
【産業上の利用可能性】
【００２２】  本発明は、浴用水に循環システ厶として利用するべく、その内容を詳述しているが、この種のろ過装置を有するプール施設等、広く利用できるものである。
活性炭のろ過装置においても、同様に利用できるものである。
【図面の簡単な説明】
【００２３】
【図１】本発明の逆洗運転時の流れを示す実施例の説明図である。
【図２】本発明の循環運転時の流れを示す実施例の説明図である。
【符号の説明】
１浴槽
２ヘヤーキャッチャー
３循環ポンプ
４ろ過装置
５紫外線照射装置
６熱交換機
７逆洗時専用フィルター
４１上部出入口
４２下部出入口
４３集水ノズル
５１流入口
５２流出口
５３紫外線ランプ
５４紫外線ランプ
８０三方弁
８１三方弁
８２三方弁
９０バルブ
９１バルブ
９２バルブ
９３バルブ
１０１排水管
【図１】
2005111215.tif 000003
【図２】
2005111215.tif 000004
【手続補正書】
【提出日】平成16年1月19日(2004.1.19)
【手続補正１】
【補正対象書類名】明細書
【補正対象項目名】００２０
【補正方法】変更
【補正の内容】
【００２０】  本発明は、このように、浴用水を、そのままろ過装置に逆洗水として送りこむのではなく、循環経路中に設置する紫外線照射装置を経由させる方法を取り入れることで、これまで配慮されることのなかった、逆洗時におけるろ過装置内の殺菌浄化が実現したものである。
【手続補正書】
【提出日】平成16年1月19日(2004.1.19)
【手続補正１】
【補正対象書類名】図面
【補正対象項目名】図１
【補正方法】変更
【補正の内容】
【図１】
2005111215.tif 000005